(57)【特許請求の範囲】
【請求項１】
磁気カードリードライト装置とメンブレンスイッチと前記メンブレンスイッチと接続される通信ケーブルとを有するカードターミナルよりなるカードターミナルシステムであって、前記カードターミナルシステムへのデータ入力を、料金清算用レジスタのキーパットの上に載置した前記メンブレンスイッチによって、前記料金清算用レジスタのキー入力を行い前記カードターミナルは前記キー入力のデータを受け取ることを特徴とするカードターミナルシステム。
【発明の詳細な説明】
【０００１】
【産業上の利用分野】
本発明は、データ入力部に透明のメンブレンスイッチを用い、内部に磁気カードリードライト装置を有したカードターミナルシステムに関するものである。
【０００２】
【従来の技術】
従来、買物の額に応じて発行するポイントカードシステムを新たに購入する際には、二つの方法しか無かった。
【０００３】
一つは、レジスタとカードターミナルが通信ケーブルで繋がっており、レジスタで入力した購入金額に見合ったポイントをカードターミナルに送り、カードターミナルで顧客にポイントを発行していた。
【０００４】
ポイントカードシステムを導入するもう一つの方法は、レジスタとは、通信せずに、本体にキー入力装置を持ったカードターミナルを用いることで、レジスタで清算した金額をカードターミナルにもキー入力して、購入金額に見合ったポイントを発行していた。
【０００５】
【発明が解決しようとする課題】
しかしながら、上記従来の二つの方法では、データの入力に通信機能を用いる場合、その店舗に最初から通信機能付きのレジスタがない場合、新たに購入する必要が出てくる。そのためポイントカードシステムを導入する際に膨大な出費を強いられる。
【０００６】
また、通信機能を用いずにカードターミナルにキー入力装置を付け、店員がキー入力する場合、一度の清算の度に二度キー入力をする必要が出てきて、店員が忙しくなると同時に、顧客を待たせることになる。
【０００７】
ここにおいて本発明は、上記従来方法の問題点を解決するもので、どのレジスタにも容易に取付けられるカードターミナルを提供することを目的とする。
【０００８】
【課題を解決するための手段】
この目的を達成するために、本発明は、カードターミナルシステムの入力装置として透明の電極シートを用いたメンブレンスイッチを用いて、レジスタのキー入力装置の上に載せ、レジスタの一度の清算で、通信なしで買物のデータがカードターミナルシステムに送れるようにした。つまり
磁気カードリードライト装置を有するカードターミナルシステムへのデータ入力を、料金清算用レジスタのキーパットの上に載置したメインブレンスイッチによって、レジスタとカードターミナルが通信ケーブルを介して接続されることに基づき、通信機能のないレジスタのキー入力を行いカードターミナルを使用できるようにしたカードターミナルシステムである。さらに好ましくは
レジスタにて入力された料金の数値を取込み、レジスタのリターンキー又は合計キーあるいはイコールキーにて買物合計のポイント数を計算し、カードターミナルに顧客の磁気カードを挿入し、磁気カードの磁気データを読み取り、磁気カードに記録してあったポイントに新たに今回追加するポイントを足し、磁気データを書き込んだ後、顧客に前記磁気カードを返却するカードターミナルシステムである。
【０００９】
【作用】
本発明は、上記した構成により、レジスタの一度の清算で、通信無しで買物のデータがカードターミナルシステムに送れるようにしたことで、どのようなレジスタにも低コストでカードターミナルを増設することができる。
【００１０】
【実施例】
以下、本発明の実施例について、図面を参照しながら説明する。
【００１１】
図１は、本発明の一実施例におけるカードターミナルの全体を示す概略斜視図である。
【００１２】
図２は、本発明の一実施例におけるカードターミナルの入力装置のメンブレンスイッチであるレジスタへの設置方法を表す斜視図、図３は本発明の一実施例におけるカードターミナルシステムの回路構成を示すブロック図、図４はその処理を表すフローチャートである。
【００１３】
図１，図３において、カードターミナルシステムは、主に清算機として用いるレジスタ１，メンブレンスイッチ３と、これらレジスタ１，メンブレンスイッチ３によって、清算されたレジスタ１の入力データを、通信ケーブル４を用いて受け取っているカードターミナル２から構成される。
【００１４】
次に、実際の動作について説明する。
顧客がある店舗を訪れ、買物をして、店員のいるレジスタのところまで持って行き、ポイントカードを渡す。若し、ポイントカードを持っていなければ、店員により発行してもらう。
【００１５】
店員は、顧客が購入した商品の値段をキーパット１ａにてレジスタ１に入力する［スタート］。
【００１６】
それと同時に、レジスタ１のキーパット１ａ上にかぶせたメンブレンスイッチ３によって、通信ケーブル４を通じ、カードターミナル２に購入商品の値段が入力される［ステップ１］。
【００１７】
どこまでが顧客の買物か分からないので、カードターミナル２側ではレジスタ１側のキーパット１ａの”リターン”キー、”合計”キーまたは”＝”（イコール）キーにて一人の顧客の買物の合計ポイント数を計算するように、予めカードターミナル２の制御ソフトに組み込むようにして、顧客の買物合計によるポイント数を計算して、ポイントカード５の挿入を待つ［ステップ２］。
【００１８】
店員は、顧客から預かったポイントカード５または初来店の顧客に対して発行したポイントカード５をカードターミナル２の磁気カードリーダライタ２ａに挿入する［ステップ３］。
【００１９】
カードターミナル２の磁気カードリーダライタ２ａにてポイントカード５のデータを読み込む［ステップ４］。
【００２０】
読み込んだポイントカード５のポイントと先程入力した買物合計から計算したポイント数を足し、ポイントカード５に書き込む［ステップ５］。
【００２１】
もし、１枚のポイントカード５のポイント数の満了が規定されているなら、合計のポイント数をポイントカード５に書き込む前に、ポイント数の比較を行い、満了しているなら、ポイントが満了するまでポイントを書き込み、残りのポイントを新たに発行するポイントカード５に書き込む。そして、ポイント追加の処理が終わったら、ポイントカード５を排出する［ステップ６］。
【００２２】
店員は、レジスタ１での清算後、ポイントカード５を顧客に変換し、１回の処理を終える［エンド］。
【００２３】
【発明の効果】
以上の実施例の説明から明らかなように、本発明は、カードターミナルのデータ入力手段として、レジスタのキーパット上に透明の薄いメンブレンスイッチをかぶせ、そのスイッチによる信号をケーブルを介してカードターミナルにおいて受け取るようにしたことにより、通信機能の無いレジスタでも容易に、低コストでカードターミナルを増設することが可能という特段の効果を奏することができる。
【図面の簡単な説明】
【図１】本発明の一実施例におけるカードターミナルの全体を示す概略斜視図
【図２】本発明の一実施例におけるカードターミナルの入力装置のメンブレンスイッチであるレジスタへの設置方法を表す斜視図
【図３】本発明の一実施例におけるカードターミナルシステムの回路構成を示すブロック図
【図４】本発明の一実施例におけるカードターミナルの処理を表すフローチャート
【符号の説明】
１  レジスタ
１ａ  キーパット
２  カードターミナル
２ａ  磁気カードリーダライタ
３  メンブレンスイッチ
４  通信ケーブル
５  ポイントカード
【図１】
0003656263.tif 000002
【図２】
0003656263.tif 000003
【図３】
0003656263.tif 000004
【図４】
0003656263.tif 000005